(57)【要約】【課題】現在設定されている映像信号記録方式の映像信号が記録できない初期化フォーマットでディスクが初期化処理されてしまう不都合を防止できるようにする。【解決手段】ステップＳ３０１でディスクが装着されたと判定され、ステップＳ３０２でブランクディスクと判定された場合に、ステップＳ３０３で選択されたフォーマットが現在のカメラモードの映像を記録可能か否かをステップＳ３０４で判定し、この判定の結果、記録できない場合には、初期化フォーマットが行われるステップＳ３０６の前のステップＳ３０５において使用者に対して警告を表示することにより、現在設定されているカメラモードの種類に合わせて適切なフォーマットを容易に選択できるようにする。【選択図】図３
2008054230.tif 000002
【特許請求の範囲】
【請求項１】
装着された記録媒体を初期化するためのフォーマットが使用者によって選択された際に、現在設定されている映像信号方式のファイルフォーマットで記録可能なフォーマットであるか否かを判断し、記録できない初期化フォーマットが選択された場合にはその旨を警告するフォーマット選択警告手段を有することを特徴とする撮像装置。
【請求項２】
撮像手段で撮影された映像を、方式が異なる複数種類の映像信号として出力する映像信号生成手段と、
前記複数種類の映像信号のうちの一つを選択する映像選択手段と、
前記映像選択手段の選択結果に応じて前記映像信号生成手段により生成された映像信号を前記記録媒体に記録する記録手段と、
前記映像信号生成手段より出力される複数種類の映像信号をそれぞれ記録するための複数種類の記録フォーマットのうちの何れかを選択するフォーマット選択手段と、
前記フォーマット選択手段により選択された記録フォーマットに従って前記記録媒体を初期化処理する初期化手段と、
前記映像選択手段により選択されている種類の映像信号を、前記フォーマット選択手段によって選択された記録フォーマットで前記記録媒体に記録することが可能であるか否かを判別する記録可否判別手段と、
前記記録可否判別手段の判別結果に応じた警告を表示装置に表示する警告表示手段とを有することを特徴とする撮像装置。
【請求項３】
前記記録媒体は光学ディスクであり、前記フォーマットは、ファイルフォーマットと映像信号の記録方式の組み合わせからなる記録フォーマットであることを特徴とする請求項１または２に記載の撮像装置。
【請求項４】
前記複数種類の映像信号は、解像度の異なる複数の映像信号であることを特徴とする請求項２に記載の撮像装置。
【請求項５】
前記複数種類の映像信号は、映像信号の圧縮方式の異なる複数の映像信号であることを特徴とする請求項２に記載の撮像装置。
【請求項６】
前記複数種類の映像信号は、映像信号の圧縮率の異なる複数の映像信号であることを特徴とする請求項２に記載の撮像装置。
【請求項７】
装着された記録媒体を初期化するためのフォーマットが使用者によって選択された際に、現在設定されている映像信号方式のファイルフォーマットで記録可能なフォーマットであるか否かを判断し、記録できない初期化フォーマットが選択された場合にはその旨を警告するフォーマット選択警告工程を有することを特徴とする撮像装置の制御方法。
【請求項８】
撮像工程で撮影された映像を、方式が異なる複数種類の映像信号として出力する映像信号生成工程と、
前記複数種類の映像信号のうちの一つを選択する映像選択工程と、
前記映像選択工程の選択結果に応じて前記映像信号生成工程において生成された映像信号を前記記録媒体に記録する記録工程と、
前記映像信号生成工程において生成されて出力される複数種類の映像信号をそれぞれ記録するための複数種類の記録フォーマットのうちの何れかを選択するフォーマット選択工程と、
前記フォーマット選択工程において選択された記録フォーマットに従って前記記録媒体を初期化処理する初期化工程と、
前記映像選択工程において選択されている種類の映像信号を、前記フォーマット選択工程において選択された記録フォーマットで前記記録媒体に記録することが可能であるか否かを判別する記録可否判別工程と、
前記記録可否判別工程の判別結果に応じた警告を表示装置に表示する警告表示工程とを有することを特徴とする撮像装置の制御方法。
【請求項９】
装着された記録媒体を初期化するためのフォーマットが使用者によって選択された際に、現在設定されている映像信号方式のファイルフォーマットで記録可能なフォーマットであるか否かを判断し、記録できない初期化フォーマットが選択された場合にはその旨を警告するフォーマット選択警告工程を有する撮像装置の制御方法をコンピュータに実行させることを特徴とするプログラム。
【請求項１０】
撮像工程で撮影された映像を、方式が異なる複数種類の映像信号として出力する映像信号生成工程と、
前記複数種類の映像信号のうちの一つを選択する映像選択工程と、
前記映像選択工程の選択結果に応じて前記映像信号生成工程において生成された映像信号を前記記録媒体に記録する記録工程と、
前記映像信号生成工程において生成されて出力される複数種類の映像信号をそれぞれ記録するための複数種類の記録フォーマットのうちの何れかを選択するフォーマット選択工程と、
前記フォーマット選択工程において選択された記録フォーマットに従って前記記録媒体を初期化処理する初期化工程と、
前記映像選択工程において選択されている種類の映像信号を、前記フォーマット選択工程において選択された記録フォーマットで前記記録媒体に記録することが可能であるか否かを判別する記録可否判別工程と、
前記記録可否判別工程の判別結果に応じた警告を表示装置に表示する警告表示工程とを有する撮像装置の制御方法をコンピュータに実行させることを特徴とするプログラム。
【請求項１１】
請求項９または１０に記載のプログラムを記録したことを特徴とするコンピュータ読み取り可能な記録媒体。
【発明の詳細な説明】
【技術分野】
【０００１】
本発明は撮像装置及び撮像装置の制御方法に関し、特に、光学ディスクをはじめとするフォーマットを必要とする記録媒体に映像及び音声信号を記録するために用いて好適な技術に関する。
【背景技術】
【０００２】
映像と音声を記録するカムコーダとして、記録媒体に光学ディスク（ディスク）を利用したもの（以下、ディスクカムコーダ）が知られている。こうしたディスクカムコーダでは光学ディスクとして、物理フォーマットの異なるディスクを検出し、その種類に応じて異なる記録方式で記録するためのディスクフォーマット処理を行い、ビデオ信号を記録する技術がある（例えば、特許文献１）。
【０００３】
ディスクカムコーダで使用可能な光学ディスクとしては、ＤＶＤ−Ｒ、ＤＶＤ−ＲＷなど様々な種類がある。例えば、ＤＶＤ−ＲではＤＶＤビデオフォーマットに従って映像や音声が記録される。また、ＤＶＤ−ＲＷであれば、ビデオフォーマット（以下、Ｖｉｄｅｏフォーマット）、もしくはビデオレコーディングフォーマット（以下、ＶＲフォーマット）で映像や音声が記録される。
【０００４】
また、ディスクカムコーダにおいて、記録開始の段階でディスクがフォーマット（初期化）されていなければ、映像及び音声信号を一時メモリに保存しておき、その間に自動的に所定のディスクフォーマット処理を行う。そして、フォーマット処理を行った後で、一時メモリの情報をディスクへ記録開始する技術がある（例えば、特許文献２）。
【０００５】
前述のように、ディスクカムコーダでは、映像や音声信号をディスクへ記録する前に、ディスクフォーマット処理を行い、ディスクへデータを書き込むことを可能にしておく必要がある。
【０００６】
【特許文献１】特開２００３−７８８７４号公報
【特許文献２】特開２００５−２４３０７１号公報
【発明の開示】
【発明が解決しようとする課題】
【０００７】
ところで、ハイビジョン規格のような高品位の映像、音声信号をディスクへ記録したい場合、ディスクカムコーダでは携帯性や小型化を考慮すると大きなサイズのディスクを利用することは難しい。
【０００８】
そのため、例えばＭＰＥＧ４−ＡＶＣ／Ｈ．２６４規格のように、従来よりも高い圧縮効率のコーデックを使うことで、ビットレートの向上を抑えつつ、従来のディスクに高品位の映像及び音声信号を記録することが可能である。
【０００９】
その場合、現行のディスクフォーマットではハイビジョン映像、音声の規格に対応していないため、対応した新しいフォーマットが必要となる。しかしながら、長時間記録を行うには映像の解像度をＮＴＳＣ規格まで落したり、現行のＭＰＥＧ２を用いたりすることにより、低ビットレートの圧縮を行う必要がある。また、他の再生装置での再生を考慮した場合、現行のＭＰＥＧ２を用いたＤＶＤ−Ｖｉｄｅｏとして記録しなければ互換性が得られない問題点があった。
【００１０】
このような結果、ディスクカムコーダでは、ディスクのディスクフォーマットと映像（音声）の規格が各々複数存在し、それぞれの組み合わせを適切に選択しないと記録することができなくなってしまうフォーマットでディスクを初期化してしまう可能性があった。
本発明は以上のことを鑑みてなされたものであって、現在設定されている映像信号記録方式の映像信号が記録できない初期化フォーマットでディスクが初期化処理されてしまう不都合を防止できるようにすることを目的とする。
【課題を解決するための手段】
【００１１】
本発明の撮像装置は、装着された記録媒体を初期化するためのフォーマットが使用者によって選択された際に、現在設定されている映像信号方式のファイルフォーマットで記録可能なフォーマットであるか否かを判断し、記録できない初期化フォーマットが選択された場合にはその旨を警告するフォーマット選択警告手段を有することを特徴とする。
また、本発明の撮像装置の他の特徴とするところは、撮像手段で撮影された映像を、方式が異なる複数種類の映像信号として出力する映像信号生成手段と、前記複数種類の映像信号のうちの一つを選択する映像選択手段と、前記映像選択手段の選択結果に応じて前記映像信号生成手段により生成された映像信号を前記記録媒体に記録する記録手段と、前記映像信号生成手段より出力される複数種類の映像信号をそれぞれ記録するための複数種類の記録フォーマットのうちの何れかを選択するフォーマット選択手段と、前記フォーマット選択手段により選択された記録フォーマットに従って前記記録媒体を初期化処理する初期化手段と、前記映像選択手段により選択されている種類の映像信号を、前記フォーマット選択手段によって選択された記録フォーマットで前記記録媒体に記録することが可能であるか否かを判別する記録可否判別手段と、前記記録可否判別手段の判別結果に応じた警告を表示装置に表示する警告表示手段とを有することを特徴とする。
【００１２】
本発明の撮像装置の制御方法は、装着された記録媒体を初期化するためのフォーマットが使用者によって選択された際に、現在設定されている映像信号方式のファイルフォーマットで記録可能なフォーマットであるか否かを判断し、記録できない初期化フォーマットが選択された場合にはその旨を警告するフォーマット選択警告工程を有することを特徴とする。
また、本発明の撮像装置の制御方法の他の特徴とするところは、撮像工程で撮影された映像を、方式が異なる複数種類の映像信号として出力する映像信号生成工程と、前記複数種類の映像信号のうちの一つを選択する映像選択工程と、前記映像選択工程の選択結果に応じて前記映像信号生成工程において生成された映像信号を前記記録媒体に記録する記録工程と、前記映像信号生成工程において生成されて出力される複数種類の映像信号をそれぞれ記録するための複数種類の記録フォーマットのうちの何れかを選択するフォーマット選択工程と、前記フォーマット選択工程において選択された記録フォーマットに従って前記記録媒体を初期化処理する初期化工程と、前記映像選択工程において選択されている種類の映像信号を、前記フォーマット選択工程において選択された記録フォーマットで前記記録媒体に記録することが可能であるか否かを判別する記録可否判別工程と、前記記録可否判別工程の判別結果に応じた警告を表示装置に表示する警告表示工程とを有することを特徴とする。
【００１３】
本発明のプログラムは、装着された記録媒体を初期化するためのフォーマットが使用者によって選択された際に、現在設定されている映像信号方式のファイルフォーマットで記録可能なフォーマットであるか否かを判断し、記録できない初期化フォーマットが選択された場合にはその旨を警告するフォーマット選択警告工程を有する撮像装置の制御方法をコンピュータに実行させることを特徴とする。
また、本発明のプログラムの他の特徴とするところは、撮像工程で撮影された映像を、方式が異なる複数種類の映像信号として出力する映像信号生成工程と、前記複数種類の映像信号のうちの一つを選択する映像選択工程と、前記映像選択工程の選択結果に応じて前記映像信号生成工程において生成された映像信号を前記記録媒体に記録する記録工程と、前記映像信号生成工程において生成されて出力される複数種類の映像信号をそれぞれ記録するための複数種類の記録フォーマットのうちの何れかを選択するフォーマット選択工程と、前記フォーマット選択工程において選択された記録フォーマットに従って前記記録媒体を初期化処理する初期化工程と、前記映像選択工程において選択されている種類の映像信号を、前記フォーマット選択工程において選択された記録フォーマットで前記記録媒体に記録することが可能であるか否かを判別する記録可否判別工程と、前記記録可否判別工程の判別結果に応じた警告を表示装置に表示する警告表示工程とを有する撮像装置の制御方法をコンピュータに実行させることを特徴とする。
【発明の効果】
【００１４】
本発明によれば、本体に装着されたディスクを初期化する際に、現在設定されている映像信号記録方式の映像信号が記録可能な初期化フォーマットであるか否かを判別して、記録できないフォーマットである場合には警告表示を行うようにしたので、初期化フォーマットの種類とカメラモードの種類の組み合わせが複数ある場合でも、現在設定されているカメラモードの種類に適合するフォーマットを選択することが容易となり、現在設定されている映像信号記録方式の映像信号を記録することができないフォーマットでディスクを初期化してしまう不都合を防止することができる。
【発明を実施するための最良の形態】
【００１５】
（第１の実施形態）
以下、本発明の実施形態を図１を用いて説明する。
図１は光学ディスクを記録媒体とするディスクカムコーダの構成を表したものである。１０１はレンズ、１０２は固体撮像素子であるＣＣＤ（Charge Coupled Device）、１０３は撮像信号を映像信号にする映像信号処理回路である。
【００１６】
１０４は映像信号を表示装置あるいは端子へ出力する映像表示出力回路、１０５は映像出力端子、１０６は映像表示装置であるＬＣＤ（Liquid Crystal Display）、１０７は映像信号の圧縮方式を切り替える切替回路である。
【００１７】
１０８は第１の映像信号圧縮回路、１０９は第２の映像信号圧縮回路、１１０は所定の方式で圧縮された映像信号を記録媒体へ記録する記録回路、１１１は記録媒体である光学ディスク、１１２は初期化要求回路である。
【００１８】
１１３はディスクカムコーダのシステム制御を行うマイクロコンピュータ、１１４は光学ディスクのフォーマットを選択する初期化選択回路、１１５〜１１８は光学ディスクを各々異なるフォーマットで初期化する第１、第２、第３、第４の初期化回路である。１１９はカメラモード切替回路、１２０は光学ディスクを検出する記録媒体検出回路である。
【００１９】
前述のように構成された本実施形態の撮像装置において、レンズ１０１で結像した光はＣＣＤ１０２で光電変換され撮像信号となる。この撮像信号は、映像信号処理回路１０３で映像信号に変換される。また、マイクロコンピュータ１１３からの指示に従い、カムコーダの情報のためのＯＳＤ（On Screen Display）用の信号生成も行う。
【００２０】
生成された映像信号は、映像表示出力回路１０４と切替回路１０７へ出力される。また、映像信号は映像表示出力回路１０４で外部出力信号となり、映像出力端子１０５を介して外部出力される。また、映像表示出力回路１０４はＬＣＤ１０６で映像表示を行うための制御も行う。
【００２１】
一方で、映像信号は切替回路１０７にも入力される。切替回路１０７は、マイクロコンピュータ１１３からの指示に従い、入力した映像信号を第１の映像信号圧縮回路１０８と第２の映像信号圧縮回路１０９のいずれか一方に出力する。第１の映像信号圧縮回路１０８と第２の映像信号圧縮回路１０９は異なる圧縮方式で映像信号を圧縮する。
【００２２】
例えば、第１の映像信号圧縮回路１０８の圧縮方式はＭＰＥＧ４−ＡＶＣ（Ｈ．２６４）方式であり、ＨＤＴＶの映像信号の圧縮を行う。また、第２の映像信号圧縮回路１０９の圧縮方式はＭＰＥＧ２方式で、ＳＤＴＶの映像信号の圧縮を行う。
【００２３】
所定の圧縮方式で圧縮された映像信号は、記録回路１１０で光学ディスク１１１に記録される。記録回路１１０は、映像信号を所定のデータに変換する。データは、ピックアップ部（不図示）を介してレーザー光で記録される。その際に、光学ディスク１１１を回転するスピンドルモーターとピックアップ部を駆動するトラッキングモーターの駆動制御を行うモータードライバ制御も記録回路１１０から行われる。なお、スピンドルモーター、トラッキングモーター、モータードライバはいずれも不図示。
【００２４】
光学ディスク１１１は、ＤＶＤ−ＲやＤＶＤ−ＲＷのように、記録時には記録層にレーザー光を照射して情報を記録する。また、再生時には記録層へレーザー光を照射し、その反射光をピックアップ部で検出して情報を取り出す（光学ディスクの構造は不図示）。記録媒体検出回路１２０は、光学ディスク１１１の装着状態を検出し、マイクロコンピュータ１１３へ出力する。マイクロコンピュータ１１３は、その結果から光学ディスク１１１が装着されているか否か、またフォーマット済みか否かを判断する。
【００２５】
初期化選択回路１１４は４つの初期化回路１１５〜１１８から一つを選択する。そして、第１の初期化回路１１５、第２の初期化回路１１６、第３の初期化回路１１７、及び第４の初期化回路１１８はそれぞれ異なるフォーマットで光学ディスク１１１をフォーマットする初期化データを記録回路１１０に出力する。記録回路１１０はフォーマット処理時に選択されたファイルフォーマットに応じた初期化データを光学ディスク１１１に記録する。
【００２６】
初期化要求回路１１２は、映像出力端子１０５あるいはＬＣＤ１０６に表示されたメニュー画面から操作キー（操作キーは不図示）により選択されたファイルフォーマットとフォーマットをマイクロコンピュータ１１３へ出力する。カメラモード切替回路１１９は、映像出力端子１０５あるいはＬＣＤ１０６に表示されたメニュー画面からＳＤＴＶもしくはＨＤＴＶのいずれかのカメラモードで記録を行うか選択し、選択結果をマイクロコンピュータ１１３へ出力する。
【００２７】
前述のように、ＨＤＴＶ方式の映像信号をＤＶＤディスクなどの記録媒体に記録するための民生用レコーダの規格として、近年、ＡＶＣＨＤ規格が提案された。
ＡＶＣＨＤ規格では、動画の圧縮方式としてＭＰＥＧ４−ＡＶＣ（Ｈ．２６４）方式を用いる。また、光学ディスクに対して記録する際のファイルフォーマットとしてＵＤＦ２．５を用いている。本実施形態では、記録フォーマットとして、ＤＶＤ規格及びＡＶＣＨＤ規格の２種類の記録フォーマットを選択することができる。
【００２８】
次に、図２を用いて本実施形態におけるカメラモード、映像圧縮方式、光学ディスクのファイルフォーマット及びディスクの記録方式の組み合わせについて説明する。
ディスクカムコーダの記録フォーマットとしてＤＶＤとＡＶＣＨＤの二種類がある。ＤＶＤは、動画の圧縮方式としてＭＰＥＧ２を用い、光学ディスクのファイルフォーマットとしてＵＤＦ（Universal Disk Format）２．０を用いる。また、カメラモードとしてはＳＤＴＶの解像度の記録に対応している。
【００２９】
一方、ＡＶＣＨＤは、動画の圧縮方式としてＭＰＥＧ４−ＡＶＣ／Ｈ．２６４を、光学ディスクのファイルフォーマットとしてＵＤＦ２．５を用いており、ＨＤＴＶの解像度の記録にも対応している。また、各記録フォーマットはともに光学ディスクへの記録の際に、ＶｉｄｅｏフォーマットもしくはＶＲフォーマットのディスクフォーマットの選択が可能である。
【００３０】
図２に示したように、各カメラモード、記録フォーマット、ディスクフォーマットの組み合わせで選択可能な構成を示している。図２において「○」が選択可能、「×」は不可能な組み合わせである。
【００３１】
図２から明らかなように、組み合わせとしては８通りあるが、ＳＤＴＶの映像を記録する場合は記録フォーマットとしてＤＶＤしか選択できない。一方で、ＨＤＴＶの映像を記録する場合は、記録フォーマットはＡＶＣＨＤしか選択できない。このように、カメラモードを決定すると光学ディスクの記録フォーマットが決定される。
【００３２】
次に、未フォーマットの光学ディスク（以下、ブランクディスク）が本実施形態のディスクカムコーダに装着された場合に、初期化処理が行われるまでの動作について説明する。
光学ディスク１１１として、ブランクディスクがディスクカムコーダに装着されると、記録媒体検出回路１２０はディスク上の所定の領域のデータを読み取る。そして、ファイルフォーマットの種別やフォーマットの有無などからなるディスク情報をマイクロコンピュータ１１３へ送る。
【００３３】
初期化選択回路１１４は、フォーマットを行う回路を、第１の初期化回路１１５〜第４の初期化回路１１８の中から選択する。第１の初期化回路１１５は、ＤＶＤ記録用にＵＤＦ２．０でファイルフォーマットを行い、Ｖｉｄｅｏフォーマットでディスクフォーマットを行う。第２の初期化回路１１６は、ＤＶＤ記録用にＵＤＦ２．０でファイルフォーマットを行い、ＶＲフォーマットでディスクフォーマットを行う。第３の初期化回路１１７は、ＡＶＣＨＤ記録用にＵＤＦ２．５でファイルフォーマットを行い、Ｖｉｄｅｏフォーマットでディスクフォーマットを行う。第４の初期化回路１１８は、ＡＶＣＨＤ記録用にＵＤＦ２．５でファイルフォーマットを行い、ＶＲフォーマットでディスクフォーマットを行う。
【００３４】
本実施形態においては、前述のように、異なるファイルフォーマットとディスクフォーマットの組み合わせでフォーマットを行うための初期化データを出力する４種類の初期化回路１１５〜１１８を備えている。なお、フォーマットの種別はマイクロコンピュータ１１３から指示される。
【００３５】
マイクロコンピュータ１１３は、ディスクカムコーダのシステム制御を行うためのコンピュータであり、制御コードや制御データからなるＲＯＭと各種情報を一時的に記憶するためのＲＡＭとを備えている（ＲＯＭ、ＲＡＭの構成は不図示）。マイクロコンピュータ１１３は、記録媒体検出回路１２０から送られるディスク情報によりブランクディスクの装着を検出するとフォーマット処理を行う。
【００３６】
その際、マイクロコンピュータ１１３は、フォーマットの種別を使用者に選択させるメニュー画面を映像出力端子１０５及びＬＣＤ１０６へ出力するためのＯＳＤデータを生成し、映像信号処理回路１０３へ出力する。さらに、使用者の選択に応じて、カメラモードをＳＤＴＶまたはＨＤＴＶの何れかに切り替える指示を切替回路１０７へ出力する。また、メニュー画面で選択された項目は初期化要求回路１１２からフォーマットの種別及びフォーマット開始の情報としてマイクロコンピュータ１１３へ入力される。
【００３７】
初期化要求回路１１２からマイクロコンピュータ１１３に入力された初期化の種類で光学ディスク１１１を初期化する場合について説明する。切替回路１０７が現在選択している映像信号圧縮回路で生成された映像信号が、光学ディスク１１１に記録不可能とマイクロコンピュータ１１３が判断したとする。
【００３８】
この場合、マイクロコンピュータ１１３は、初期化選択回路１１４に初期化開始を指示する前に、使用者が選択した初期化の種類で光学ディスク１１１を初期化するする。そして、切替回路１０７が現在選択している映像信号圧縮回路で生成された映像信号を光学ディスク１１１に記録することは不可能という旨の警告画面を映像出力端子１０５及びＬＣＤ１０６へ出力するためのＯＳＤデータを生成し、映像信号処理回路１０３へ出力する。
【００３９】
次に、ブランクディスクが装着されてからマイクロコンピュータ１１３が行う処理について図３のフローチャートを用いて説明する。
まず、ステップＳ３０１においてディスクの装着を監視している。そして、ディスクが装着されると、記録媒体検出回路１２０から入力されたディスク情報から光学ディスクが装着されたことが検出され、ディスク種別情報を取得しステップＳ３０２へ進む。
【００４０】
ステップＳ３０２では、取得したディスク種別情報からブランクディスクか否かを判別する。この判別の結果、装着されたディスクがブランクディスクであればステップＳ３０３に進み、フォーマット済みディスクであれば処理を終了する。
【００４１】
ステップＳ３０３では、ディスクのフォーマットをユーザに選択させる。フォーマットの選択は、映像信号処理回路１０３で生成されたメニュー画面をＬＣＤ１０６に表示して行われる。フォーマット時のメニュー画面の一例を図４に示す。
【００４２】
図４（ａ）は、フォーマットの種別を選択するメニュー画面である。フォーマットの内容に応じた項目が表示され、選択された項目は符号４０１を付したように反転強調される。また、選択された項目の詳細情報としてカメラモードの種類とディスクフォーマットの種類に関する情報を符号４０２を付して示したように表示し、使用者にフォーマットの種別の情報を示している。
【００４３】
所定のフォーマットがユーザにより選択されると、フォーマット種別情報を生成し、ステップＳ３０４へ進む。
ステップＳ３０４では、ステップＳ３０３で選択されたフォーマットの種別に従い、装着された光学ディスク１１１に対してディスクのフォーマットを実行する。その際に、切替回路１０７が現在選択している映像圧縮回路から出力される映像信号を装着された光学ディスク１１１に記録可能か記録不可能かを判別する。この判別の結果、記録不可能であればステップＳ３０５に進み、記録可能であればステップＳ３０６へ進む。
【００４４】
ステップＳ３０５においては、ステップＳ３０４の判断結果の旨の警告を映像信号処理回路１０３において生成し映像出力端子１０５、ＬＣＤ１０６に警告画面を表示させることにより行う。図４（ｂ）は警告画面である。その後、ステップ３０６に進む。
【００４５】
ステップＳ３０６では、ステップＳ３０３で選択されたフォーマットの種別に従い、ディスクのフォーマットを実行する。この時、フォーマットのメニュー画面は、まず、図４（ｃ）に切り替わる。図４（ｃ）の画面では使用者に対し、フォーマット実行の可否を選択させる。選択された項目はフォーマットの種別選択同様、符号４０３を付したように反転強調表示される。
【００４６】
フォーマット開始を選択すると、初期化要求回路１１２はマイクロコンピュータ１１３に対して、ディスクのフォーマット要求を出力する。マイクロコンピュータ１１３は、ステップＳ３０３で生成したフォーマット種別情報を初期化選択回路１１４へ出力する。
【００４７】
例えば、図４（ａ）に示したようにＡＶＣＨＤのＶＲモードを選択した場合は、初期化選択回路１１４内の初期化回路として第４の初期化回路１１８が選択される。これにより、ＵＤＦ２．５によるファイルフォーマット、ＶＲフォーマットによるディスクフォーマットが実行される。フォーマットを実行するとメニュー画面は図４（ｄ）に示したように切り替わり、フォーマット処理の状況は４０４のように逐次使用者に知らせる。フォーマット処理が完了すると、メニュー画面は図４の(e)に示したように切り替わり４０５のように使用者に処理の終了通知して処理は終了する。
【００４８】
次に、マイクロコンピュータ１１３が行う処理の変形例を図５のフローチャートを用いて説明する。
まず、ステップＳ５０１において、光学ディスク１１１の装着を監視する。そして、光学ディスク１１１が装着されると、記録媒体検出回路１２０から入力されたディスク情報から光学ディスクが装着されたことを検出し、ディスク種別情報を取得しステップＳ５０２へ進む。
【００４９】
ステップＳ５０２では、取得したディスク種別情報から装着された光学ディスク１１１がブランクディスクか否かを判別する。この判別の結果、装着された光学ディスク１１１がブランクディスクであればステップＳ５０３へ進み、フォーマット済みディスクであれば処理を終了する。
【００５０】
ステップＳ５０３では、装着された光学ディスク１１１のフォーマットを選択する。このフォーマットの選択は、映像信号処理回路１０３で生成されたメニュー画面に従って行う。フォーマット時のメニュー画面を図６に示す。
【００５１】
図６（ａ）は、フォーマットの種別を選択するメニュー画面である。フォーマットの内容に応じた項目が表示され、選択された項目は符号６０１を付して示したように反転強調される。また、選択された項目の詳細情報としてカメラモードの種類とディスクフォーマットの種類に関する情報を、符号６０２を付して示したように表示し、使用者にフォーマットの種別の情報を示している。所定のフォーマットを選択すると、フォーマット種別情報を生成し、ステップＳ５０４へ進む。
【００５２】
ステップＳ５０４では、ステップＳ５０３で選択されたフォーマットの種別に従い、装着された光学ディスク１１１に対してディスクのフォーマットを実行した際の結果について判別する。本実施形態においては、切替回路１０７が現在選択している映像圧縮回路から出力される映像信号を装着された光学ディスク１１１に記録可能か記録不可能かを判別する。この判別の結果、記録不可能であればステップＳ５０５へ進み、記録可能であればステップＳ５０７へ進む。
【００５３】
ステップＳ５０５では、ステップＳ５０４の判断結果の旨の警告を映像信号処理回路１０３に生成させ、映像出力端子１０５、ＬＣＤ１０６に警告画面を表示させることにより行う。この際に、警告表示とともに、ステップＳ５０３で選択されたディスクのフォーマット、現在選択している映像圧縮回路から出力される映像信号が記録できるフォーマットも表示させる。図６（ｂ）は、警告画面の一例である。
【００５４】
ステップＳ５０３で選択されたディスクのフォーマットを符号６０３を付して示したように表示し、現在選択している映像圧縮回路から出力される映像信号が記録できるフォーマットを符号６０４に表示する。また、右上には符号６０５を付して示したように警告アイコンを表示する。その後、ステップ５０６に進む。
【００５５】
ステップＳ５０６では、ステップＳ５０３で選択されたフォーマットの種別に従い、ディスクのフォーマットを実行するかを選択する。この時、フォーマットのメニュー画面は図６（ｃ）に切り替わる。
【００５６】
図６（ｃ）の画面では使用者に対し、フォーマット実行の可否を選択させる。選択された項目は、フォーマットの種別選択同様、符号６０６を付して示したように反転強調表示される。フォーマット開始が選択されるとステップＳ５０７に進み、フォーマット開始が選択されないとステップＳ５０３に戻り、フォーマット選択をやり直す。
【００５７】
ステップＳ５０７では、ステップＳ５０３で選択されたフォーマットの種別に従い、ディスクのフォーマットを実行する。まず、初期化要求回路１１２はマイクロコンピュータ１１３に対して、ディスクのフォーマット要求を出力する。
【００５８】
マイクロコンピュータ１１３は、ステップＳ５０３で生成したフォーマット種別情報を初期化選択回路１１４へ出力する。例えば、図６（ａ）に示したように、ＡＶＣＨＤのＶＲモードを選択した場合は、初期化選択回路１１４内の初期化回路として第４の初期化回路１１８が選択される。そして、ＵＤＦ２．５によるファイルフォーマット、ＶＲフォーマットによるディスクフォーマットが実行される。
【００５９】
フォーマットを実行するとメニュー画面は図６（ｄ）に切り替わり、フォーマット処理の状況を符号６０７を付して示したように使用者に逐次知らせる。そして、フォーマット処理が完了するとメニュー画面は図６の(e)に切り替わり、符号６０８を付して示したように使用者に処理の終了通知して処理は終了する。
【００６０】
（本発明に係る他の実施形態）
前述した本発明の実施形態における撮像装置を構成する各手段、並びに撮像装置の制御方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００６１】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００６２】
なお、本発明は、前述した実施形態の機能を実現するソフトウェアのプログラム（実施形態では図３及び図５に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００６３】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６４】
その場合、プログラムの機能を有していれば、オブジェクトコード、インタプリタにより実行されるプログラム、ＯＳに供給するスクリプトデータ等の形態であってもよい。
【００６５】
プログラムを供給するための記録媒体としては、例えば、フロッピー（登録商標）ディスク、ハードディスク、光学ディスク１１１、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００６６】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００６７】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００６９】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００７０】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００７１】
【図１】本発明の実施形態に関わる撮像装置の内部構成を示すブロック図である。
【図２】本実施形態におけるカメラモード、映像圧縮方式、光学ディスクのファイルフォーマット及びディスクの記録方式の組み合わせの一例を説明する図である。
【図３】ブランクディスクが装着されてからマイクロコンピュータが行う処理手順の一例を説明するフローチャートである。
【図４】図３における表示部の画面遷移の一例を示す図である。
【図５】図３の手順の変形手順の一例を説明するフローチャートである。
【図６】図５における表示部の画面遷移の一例を示す図である。
【符号の説明】
【００７２】
１０１  レンズ
１０２  ＣＣＤ
１０３  映像信号処理回路
１０４  映像表示出力回路
１０５  映像出力端子
１０６  ＬＣＤ
１０７  切替回路
１０８  第１の映像信号圧縮回路
１０９  第２の映像信号圧縮回路
１１０  記録回路
１１１  光学ディスク
１１２  初期化要求回路
１１３  マイクロコンピュータ
１１４  初期化選択回路
１１５  第１の初期化回路
１１６  第２の初期化回路
１１７  第３の初期化回路
１１８  第４の初期化回路
１１９  カメラモード切替回路
１２０  記録媒体検出回路
４０１  フォーマットの種別選択
４０２  ディスクフォーマットの種類に関する情報
４０３  フォーマット実行の可否選択
４０４  フォーマット処理の状況
４０５  処理の終了通知
【図１】
2008054230.tif 000003
【図２】
2008054230.tif 000004
【図３】
2008054230.tif 000005
【図４】
2008054230.tif 000006
【図５】
2008054230.tif 000007
【図６】
2008054230.tif 000008